(57)【特許請求の範囲】
【請求項１】
収納本体に対して蓋体を開閉可能に支持するためのヒンジ装置において、
前記収納本体に固定された第１の固定リンクと、
この第１の固定リンクの一方側に中途部を回転可能に支持された短リンクと、
前記第１の固定リンクの他方側に一端部を回転可能に連結された長リンクと、
前記蓋体に固定され、一方側に前記短リンクの一端部が回転可能に連結され、他方側に前記長リンクの他端部を回転可能に連結された第２の固定リンクとで構成されるリンク機構と、
前記短リンクの他方側に、一端部が回転可能に連結され、前記第１の固定リンクと前記長リンクとの連結部に他端部が回転可能に連結され、前記蓋体の一端部を回動支点として他端部を上昇させるときに付勢し、この他端部が急激に下降することを防止するダンパ機能を付与するガススプリングと、
前記リンク機構に取り付けられ、前記収納本体に対して前記蓋体を所定角度に達したときに、この蓋体の開閉動作により前記リンク機構に作用して該蓋体を倒伏不能な状態で保持させる、又は解除するストッパ機構とを備え、
前記ストッパ機構は、
前記長リンクの前記第２の固定リンク側寄りに取り付けられ、前記長リンクの長手方向と平行に形成された長穴を有し、この長穴より短い帯状のプレート部材が該長穴に沿って前記第２の固定リンク側寄りに取り付けられ、該長穴付近の第２の固定リンクと離間する側に丸棒状のピンを有するストッパガイドと、
前記第２の固定リンクの中途部に一端部を回転可能に連結され、他端部が前記ストッパガイドの長穴に沿ってスライド自在に係合されたストッパリンクと、
このストッパリンクのスライド自在な他端部に回転可能に支持された略長方形の一対の短辺部分が切欠かれた形状であるストッパ片とで構成され、
前記ストッパ片は、前記蓋体の一端部を回動支点として他端部を上昇させ回動させると、前記ストッパガイドの長穴に沿って前記ピン側へスライドし、前記ピンに当接して所定角度だけ回転し、該ストッパ片がこの角度姿勢にある状態で、前記蓋体の一端部を回動支点として他端部を下降方向に回動させると、前記ストッパ片の切欠き部に前記ストッパガイドのプレート部材の端部が嵌まり込み、前記ストッパ片が回転不能及びスライド不能となることで、前記蓋体を所定角度で倒伏不能なロック状態に保持させることを特徴とするヒンジ装置。
【請求項２】
前記蓋体が所定角度で倒伏不能なロック状態にあるとき、前記蓋体の一端部を回動支点として他端部を上昇させ回動させると、前記ストッパ片は、前記ストッパガイドの長穴に沿って、前記ピン側へスライドし、前記ピンに当接して所定角度だけ回転し、該ストッパ片がこの角度姿勢にある状態で、前記蓋体の一端部を回動支点として他端部を下降方向に回動させると、前記ストッパ片の平行部に前記ストッパガイドのプレート部材の端部が当接して回転し、前記プレート部材の長手方向と前記ストッパ片の平行部が沿う状態となり、前記ストッパ片がスライド可能となることで、前記蓋体を倒伏不能なロック状態から解除することを特徴とする請求項１に記載のヒンジ装置。
【発明の詳細な説明】
【技術分野】
【０００１】
本発明は、収納家具や開閉式ベットなどの収納本体に対する蓋体の開閉を補助するためのヒンジ装置に関する。
【背景技術】
【０００２】
従来から、この種のヒンジ装置において、リンク機構を用いて蓋体を上昇又は下降方向に回動させることで、収納本体に対して蓋体を開閉し、前記蓋体を上昇方向に回動させるときに付勢し、この蓋体が急激に下降することを防止するダンパ機能を付与するガススプリングを備え、リンクの連結位置や形状を工夫することでガススプリングの破損や大型化を防止するヒンジ装置が知られている（例えば特許文献１参照）。また、上述のリンク機構やガススプリングに加え、収納本体に対して前記蓋体を所定角度に上昇させ回動させたときに前記リンク機構に作用して前記蓋体を倒伏不能なロック状態に保持させるストッパ機構を有し、このストッパ機構は、所定の係合部に係止部材を係合することにより前記蓋体に対して回動するのを阻止するヒンジ装置が知られている（例えば特許文献２参照）。
【特許文献１】特開２０００−３５５３４６号公報
【特許文献２】特開２００４−２２９８９７号公報
【発明の開示】
【発明が解決しようとする課題】
【０００３】
しかしながら、上述した従来のヒンジ装置において、収納本体に対して蓋体を所定角度に上昇させ回動させたときに、蓋体を倒伏不能な状態に保持する手段として、ガススプリングの付勢力が蓋体の自重に打ち勝つことにより蓋体を倒伏不能な状態に保持する手段があり、この場合、蓋体が開き保持した状態で、不意に閉じる方向へ何らかの負荷が蓋体に掛かったとき、この負荷と蓋体の自重がガススプリングの付勢力に勝り、蓋体が閉じる虞がある。それが、ユーザが収納本体に収納しているときであれば、収納本体と蓋体の間に挟まれる危険がある。また、所定の係合部に係止部材を係合することで蓋体に対して回動するのを阻止するストッパ機構により蓋体を倒伏不能なロック状態に保持する手段があり、この場合、ユーザが蓋体を所定角度に上昇させた状態を保持して、所定の係合部に係止部材を係合しなければならず、その際、不安定な姿勢となるために収納本体と蓋体の間に挟まれる虞がある。
【０００４】
本発明は、上記のような従来の問題を解決するためになされたものであり、蓋体を所定角度に上昇させたとき、蓋体を開閉する動作によりストッパ機構をリンク機構に作用させるので、ユーザは、安定した姿勢で蓋体を支持したまま、蓋体を倒伏不能な状態に保持させる、又は解除することができ、また、ストッパ機構を作用させることで、ユーザが収納本体に収納中に収納本体と蓋体の間に挟まれる危険を回避することができるヒンジ装置を提供することを目的とする。
【課題を解決するための手段】
【０００５】
上記目的を達成するために請求項１の発明は、収納本体に対して蓋体を開閉可能に支持するためのヒンジ装置において、収納本体に固定された第１の固定リンクと、この第１の固定リンクの一方側に中途部を回転可能に支持された短リンクと、第１の固定リンクの他方側に一端部を回転可能に連結された長リンクと、蓋体に固定され、一方側に短リンクの一端部が回転可能に連結され、他方側に長リンクの他端部を回転可能に連結された第２の固定リンクとで構成されるリンク機構と、短リンクの他方側に、一端部が回転可能に連結され、第１の固定リンクと長リンクとの連結部に他端部が回転可能に連結され、蓋体の一端部を回動支点として他端部を上昇させるときに付勢し、この他端部が急激に下降することを防止するダンパ機能を付与するガススプリングと、前記リンク機構に取り付けられ、収納本体に対して蓋体を所定角度に達したときに、この蓋体の開閉動作によりリンク機構に作用して該蓋体を倒伏不能な状態で保持させる、又は解除するストッパ機構とを備え、前記ストッパ機構は、前記長リンクの前記第２の固定リンク側寄りに取り付けられ、前記長リンクの長手方向と平行に形成された長穴を有し、この長穴より短い帯状のプレート部材が該長穴に沿って前記第２の固定リンク側寄りに取り付けられ、該長穴付近の第２の固定リンクと離間する側に丸棒状のピンを有するストッパガイドと、前記第２の固定リンクの中途部に一端部を回転可能に連結され、他端部が前記ストッパガイドの長穴に沿ってスライド自在に係合されたストッパリンクと、このストッパリンクのスライド自在な他端部に回転可能に支持された略長方形の一対の短辺部分が切欠かれた形状であるストッパ片とで構成され、前記ストッパ片は、前記蓋体の一端部を回動支点として他端部を上昇させ回動させると、前記ストッパガイドの長穴に沿って前記ピン側へスライドし、前記ピンに当接して所定角度だけ回転し、該ストッパ片がこの角度姿勢にある状態で、前記蓋体の一端部を回動支点として他端部を下降方向に回動させると、前記ストッパ片の切欠き部に前記ストッパガイドのプレート部材の端部が嵌まり込み、前記ストッパ片が回転不能及びスライド不能となることで、前記蓋体を所定角度で倒伏不能なロック状態に保持させるものである。
【０００７】
請求項２の発明は、請求項１に記載のヒンジ装置において、蓋体が所定角度で倒伏不能なロック状態にあるとき、蓋体の一端部を回動支点として他端部を上昇させ回動させると、ストッパ片は、ストッパガイドの長穴に沿って、ピン側へスライドし、ピンに当接して所定角度だけ回転し、該ストッパ片がこの角度姿勢にある状態で、蓋体の一端部を回動支点として他端部を下降方向に回動させると、ストッパ片の平行部に前記ストッパガイドのプレート部材の端部が当接して回転し、プレート部材の長手方向とストッパ片の平行部が沿う状態となり、ストッパ片がスライド可能となることで、蓋体を倒伏不能なロック状態から解除するものである。
【発明の効果】
【０００８】
本発明によれば、蓋体を所定角度に上昇させ回動させたとき、蓋体を開閉する動作によりストッパ機構をリンク機構に作用させるので、ユーザは、蓋体を安定した姿勢で支持したまま、蓋体を倒伏不能な状態に保持させ、又は解除することができ、ストッパ機構を作用させることで、ユーザが収納本体に収納中に収納本体と蓋体の間に挟まれる危険を回避することができる。
【発明を実施するための最良の形態】
【０００９】
以下、本発明を具体化した実施形態によるヒンジ装置について図面を参照して説明する。図１は、本発明のヒンジ装置を用いた開閉式ベットの斜視図であり、蓋体３を開いた状態を示す。開閉式ベット１は、上面が開口し、内部を収容部とした矩形箱形状に形成された収納本体２と、この収納本体２と略同じ平面形状の矩形板状を成している蓋体３とを備え、該収納本体２の上面開口は、この蓋体３によって開閉されるようになっている。蓋体３は、収納本体２に対して幅方向一端部の長手方向両端部に備えたヒンジ装置４によって回動可能に連結されている。
【００１０】
図２は、実施形態１によるヒンジ装置４の構成を示す。ヒンジ装置４は、蓋体３の一端部を回動支点として他端部を回動させるためのリンク機構５と、蓋体３を所定角度に上昇させ回動させたとき、倒伏不能なロック状態に保持させるために、このリンク機構５に作用するストッパ機構６と、蓋体３の一端部を回動支点として他端部を上昇させるときに付勢し、この他端部が急激に下降することを防止するダンパ機能を付与するガススプリング７とを備える。
【００１１】
リンク機構５は、収納本体２に固定された第１の固定リンク５１と、この第１の固定リンク５１の閉じ側に、中途部を回転可能に支持された短リンク５２と、該第１の固定リンク５１の開き側に一端部を回転可能に連結された長リンク５３と、蓋体３に固定され、閉じ側に短リンク５２の一端部が回転可能に連結され、開き側に長リンク５３の他端部を回転可能に連結された第２の固定リンク５４とで構成されている。
【００１２】
ガススプリング７は、短リンク５２の他端部に一端部であるロッド７ａの先端部が支軸８１によって回転可能に連結され、第１の固定リンク５１と長リンク５３との連結部に他端部であるシリンダ７ｂの一端部が支軸８２によって回転可能に連結して設けられている。
【００１３】
第１の固定リンク５１は、帯状部材から成り、収納本体２の幅方向一端部の長手方向両側板に取付け固定され、閉じ側に帯状部材から成る短リンク５２の中途部が支軸８３によって回転可能に支持され、開き側に帯状部材から成る長リンク５３の一端部が支軸８２によって回転可能に連結されている。図３に示すように、第１の固定リンク５１と短リンク５２との連結部は、収納本体２の内面から離間する方向にＺ型の折り曲げ形成され、第１の固定リンク５１と長リンク５３との連結部は、収納本体２の内面から離間する方向に山型の折り曲げ形成されており、第１の固定リンク５１と短リンク５２及び長リンク５３の側面との間にはワッシャが設けられている。
【００１４】
第２の固定リンク５４は、アングル材から成り、蓋体３の幅方向一端部の長手方向両端部の内面に一辺が取付け固定され、他辺の閉じ側に短リンク５２の一端部が支軸８４によって回転可能に連結され、他辺の開き側に長リンク５３の他端部が支軸８５によって回転可能に連結され、他辺の中途部に後述のストッパリンク６２の一端部が支軸８６によって回転可能に連結されている。第２の固定リンク５４と短リンク５２、長リンク５３及びストッパリンク６２の側面との間にはワッシャが設けられている。
【００１５】
ストッパ機構６は、長リンク５３の第２の固定リンク５４寄りに取り付けられたストッパガイド６１と、ストッパリンク６２と、このストッパガイド６１の長穴６１ａに沿ってスライド自在なストッパリンク６２の一端部に支軸８７によって回転可能に取り付けられたストッパ片６３とで構成される。
【００１６】
ストッパガイド６１は、帯状部材から成り、長リンク５３から離間する方向に山型の折り曲げ形成されており、この山型部に長穴６１ａが長リンク５３の長手方向に略平行に形成され、後述のストッパ片６３がスライド中に回転しないようにするために、この長穴６１ａに平行に矩形状のプレート部材６１ｂが第２の固定リンク５４側寄りに取り付けられ、このプレート部材６１ｂの取り付け範囲は、該長穴６１ａの第２の固定リンク５４側寄りの端部からストッパ片６３が長穴６１ａの他端部にあるときに回転可能な範囲までとしており、長穴６１ａの他端部近傍に丸棒状のピン６１ｃを有する。ストッパリンク６２は、帯状部材から成り、第２の固定リンク５４と連結されている端部が、第２の固定リンク５４へ近接する方向にＺ型の折り曲げ形成されている。ストッパ片６３は、略長方形の一対の短辺部分が、くの字状に切り欠かれた形状の帯状部材である。
【００１７】
上記のように構成された本実施形態のヒンジ装置４の作用について次に説明する。図４は、蓋体３が略水平に倒伏して収納本体２の上面開口を閉塞した状態を示す。この状態では、ガススプリング７は、ロッド７ａが突出方向の付勢力に抗してシリンダ７ｂ内に没入している。このとき、ガススプリング７と蓋体とが成す角度が小さくなっているため、ガススプリング７の付勢力により短リンク５２が起立する方向に作用するモーメントが小さく、そのため、蓋体３は倒伏状態で保持されている。
【００１８】
図５に示すように、蓋体３を上昇方向に回動させると、この回動につれて短リンク５２と長リンク５３が起立してくる。それに伴い、ガススプリング７の付勢力による短リンク５２が起立する方向に作用するモーメントが増大するので、ユーザは、蓋体３を軽い力で上昇方向に回動させることができる。また、該回動につれて、ストッパ片６３は、ストッパ片６３の平行を成す一辺とストッパガイド６１のプレート部材６１ｂの長穴６１ａと平行な一辺が接することにより回転しないまま、長穴６１ａに沿って第２の固定リンク５４から離間する方向にスライドする。
【００１９】
図６に示すように、蓋体３を上昇方向に回動させると、ストッパ片６３は、ストッパガイド６１の長穴６１ａのピン６１ｃ側の端部近傍で、一方側の切欠き部がピン６１ｃと当接し、この切欠き部の斜辺がピン６１ｃに沿いながら長穴６１ａの端部までスライドしつつ、他方側の切欠き部にプレート部材６１ｂのピン６１ｃ側の端部のコーナ部が嵌まり込める角度まで回転する。
【００２０】
ストッパ片６３がこの角度姿勢にある状態で、図７に示すように、蓋体３を下降方向に回動させると、ストッパ片６３は、一方側の切欠き部がピン６１ｃから離れつつ、他方側の切欠き部がプレート部材６１ｂのコーナ部に当接する。そして、図８に示すように、ストッパ片６３の切欠き部にプレート部材６１ｂのコーナ部が嵌まり込むことで、ストッパ片６３は、長穴６１ａに沿って第２の固定リンク５４側にスライド不能となる。つまり、蓋体を下降方向に回動させることができないため、蓋体３は、倒伏不能な状態に保持される。
【００２１】
蓋体を倒伏不能な状態から倒伏状態にする場合、図９に示すように、蓋体３を一旦上昇方向に回動させると、ストッパ片６３は、切欠き部がプレート部材６１ｂのコーナ部から離れつつ、ストッパ片６３の平行を成す一方側の一辺がピン６１ｃに当接し、図１０に示すように、この一辺がピン６１ｃに沿いながら長穴６１ａのピン６１ｃ側の端部までスライドしつつ、切欠き部にプレート部材６１ｂのコーナ部が嵌まり込めない角度まで回転する。
【００２２】
ストッパ片６３がこの角度姿勢にある状態で、図１１に示すように、蓋体３を下降方向に回動させると、ストッパ片６３は、ピン６１ｃから離間する方向にスライドし、ストッパ片６３の平行を成す他方側の一辺がプレート部材６１ｂのピン６１ｃ側の端部と当接する。さらに、蓋体３を下降方向に回動させると、図１２に示すように、ストッパ片６３は、ピン６１ｃから離間する方向にスライドしつつ、回転してストッパ片６３の平行を成す一辺とストッパガイド６１のプレート部材６１ｂの長穴６１ａと平行な一辺が接して、回転することなく、長穴６１ａの第２の固定リンク５４側の端部までスライドする。そして、図４に示す蓋体３を倒伏した状態に戻る。蓋体３を倒伏させる場合にもガススプリング７の付勢力により短リンク５２が起立する方向に作用するモーメントが蓋体３の自重を支えるので、ユーザは、この蓋体３を軽い力で倒伏させることができる。
【００２３】
以上説明したように、実施形態１のヒンジ装置によれば、比較的簡易で且つ堅牢な構成を成し、ガススプリングの付勢力により蓋体が急激に下降することを防止し、ユーザは、軽い力で蓋体を上昇及び下降方向に回動させることができ、この上昇及び下降方向に回動させる動作によりストッパ機構をリンク機構に作用させるので、ユーザは、蓋体を安定に支持した姿勢のまま、蓋体を倒伏不能な状態に保持させる、又は解除することができる。このため、ユーザが蓋体の開閉動作中や収納本体に収納中に、収納本体と蓋体に挟まれるような危険を回避できる。
【００２４】
なお、本発明は、上記実施形態１の構成に限られず、発明の趣旨を変更しない範囲で種々の変形が可能である。例えば、上記実施形態１において、蓋体３を倒伏不能な状態に保持する角度を２段階にすることも可能である。この変形例を次の実施形態２により説明する。
【００２５】
図１３は、実施形態２によるヒンジ装置の構成を示す。ストッパガイド６１１は、長穴６１１ａの長手方向でプレート部材６１１ｂを取り付けていない側の中途部に段部が切欠き形成されている係合孔を有する。この段部は、第２の固定リンク５４側が階段状に形成され、ピン６１ｃ側が傾斜状に形成されている。ストッパガイド６１１は、蓋体３を倒伏させるときにストッパ片６３の支軸８７が段部に係合することを阻止するための規制部材９を、ストッパガイド６１１と長リンク５３の間で長手方向にスライド自在に連結されている。規制部材９は、帯状部材からなり、ストッパガイド６１１の長穴６１１ａより長手方向に短い長穴状の切欠き部を有し、この長穴状の切欠き部の中途部にストッパガイド６１１の段部と同じ形状の段部が形成されている。
【００２６】
ストッパリンク６２と第２の固定リンク５４との連結部に、バネ１０をストッパリンクの回転と同時に同角度だけ回転するように設け、バネ１０は、ストッパリンク６２を介して、このバネ１０の反力による負荷をストッパ片６３に長穴６１１ａの段部を有する側へ掛ける。そうすることで、ストッパ片６３の支軸８７が段部に確実に係合し、第２の固定リンク５４側に外れ難くなる。
【００２７】
図１５に示すように、ストッパ片６３は、バネ１０の反力による負荷を長穴６１１ａの段部を有する側に受けたまま、長穴６１１ａに沿ってピン６１１ｃ側へスライドする。
【００２８】
ストッパ片６３は、段部に達すると、図１６に示すように、ストッパ片６３の支軸８７が段部に係合し、長穴６１１ａの段部の第２の固定リンク５４側が階段状に形成されているため、第２の固定リンク５４側へスライド不能となり、蓋体３は、第１段階目の所定角度で倒伏不能な状態に保持される。
【００２９】
さらに、蓋体３を上昇方向に回動させると、図１７に示すように、ストッパ片６３は、ストッパ片６３の支軸８７が段部の斜辺に沿ってピン６１１ｃ側へスライドし、この支軸８７が規制部材９の端部に当接し、図１８に示すように、規制部材９と共にピン６１１ｃ側へスライドする。実施形態１におけるストッパ機構６と同様の動作を行い、図１９に示すように、蓋体３は、第２段階目の所定角度で倒伏不能な状態に保持される。
【００３０】
規制部材９がピン６１１ｃ側へスライドすることによりストッパガイド６１１の段部と規制部材９の段部がずれた状態となり、ストッパ片６３が第２の固定リンク５４側へスライドするときに、ストッパ片６３の支軸８７は、段部に係合されない。このため、蓋体３を倒伏不能な状態から倒伏状態にする場合も、実施形態１におけるストッパ機構６と同様の動作を行う。そして、蓋体３を下降方向に回動させると、図２０に示すように、ストッパ片６３の支軸８７が規制部材９の第２の固定リンク５４側の端部に当接し、ストッパ片６３と共に規制部材９も第２の固定リンク５４側にスライドする。図１４に示すように、蓋体３が倒伏し、ストッパ片６３が長穴６１１ａの第２の固定リンク５４側の端部に達すると、ストッパガイド６１１の段部と規制部材９の段部とが合致した状態に戻る。
【００３１】
以上説明したように、実施形態２のヒンジ装置によれば、実施形態１のヒンジ装置におけるストッパ機構の構成部材の形状を工夫し、規制部材を設けることで多段階な角度で蓋体を倒伏不能な状態で保持することができる。そして、実施形態１のヒンジ装置と同様に、比較的簡易で、且つ堅牢な構成を成し、ガススプリングの付勢力により、ユーザは、軽い力で蓋体を上昇及び下降方向に回動させることができ、この上昇及び下降方向に回動させる動作によりストッパ機構をリンク機構に作用させるので、ユーザは、蓋体を安定に支持した姿勢のまま、蓋体を倒伏不能な状態に保持させる、又は解除することができる。このため、ユーザが蓋体の開閉動作中や収納本体に収納中に、収納本体と蓋体に挟まれるような危険を回避できる。
【図面の簡単な説明】
【００３２】
【図１】本発明の実施形態に係るヒンジ装置を用いた開閉式ベットの蓋体を上昇方    向に回動させた斜視図。
【図２】実施形態１によるヒンジ装置の構成図。
【図３】同ヒンジ装置の部品構成図。
【図４】同ヒンジ装置の蓋体を完全に倒伏した状態を示す図。
【図５】図４において蓋体を上昇方向に回動させて、ストッパ片の切欠き部がピン    に当接した状態を示す図。
【図６】図５において蓋体を上昇方向に回動させて、ピンに当接したストッパ片が    第１の所定角度だけ回転した状態を示す図。
【図７】図６において蓋体を下降方向に回動させて、第１の所定角度だけ回転した    ストッパ片の切欠き部がプレート部材のコーナ部に当接した状態を示す図。
【図８】図７において蓋体を下降方向に回動させて、ストッパ片の切欠き部にプレ    ート部材のコーナ部が嵌まり込み、蓋体を倒伏不能に保持した状態を示す図。
【図９】図８において蓋体を上昇方向に回動させて、ストッパ片の切欠き部がプレ    ート部材のコーナ部から離れ、ストッパ片の平行部がピンに当接した状態を示す図。
【図１０】図９において蓋体を上昇方向に回動させて、ピンに当接したストッパ片    が第２の所定角度まで回転した状態を示す図。
【図１１】図１０において蓋体を下降方向に回動させて、第２の所定角度まで回転    したストッパ片の平行部がプレート部材のコーナ部に当接した状態を示す図。
【図１２】図１１において蓋体を下降方向に回動させて、プレート部材のコーナ部    に当接したストッパ片が回転し、ストッパ片の平行部とプレート部材の長手方向の一    辺とが接した状態を示す図。
【図１３】本発明の実施形態２によるヒンジ装置の部品構成図。
【図１４】同ヒンジ装置の蓋体を完全に倒伏した状態を示す図。
【図１５】図１４において蓋体を上昇方向に回動させて、ストッパ片が段部に到達    する前の状態を示す図。
【図１６】図１５において蓋体を上昇方向に回動させて、ストッパ片の支軸が段部    に係合し、蓋体を第１段階目の所定角度で倒伏不能に保持した状態を示す図。
【図１７】図１６において蓋体を上昇方向に回動させて、ストッパ片の支軸が段部    から外れ、規制部材の端部と当接した状態を示す図。
【図１８】図１７において蓋体を上昇方向に回動させて、ストッパ片と共に規制部    材がスライドし、ストッパガイドの段部と規制部材の段部がずれている状態を示す図    。
【図１９】ストッパ片の切欠き部がプレート部材のコーナ部に嵌まり込み、蓋体を    第２段階目の所定角度で倒伏不能に保持した状態を示す図。
【図２０】図１９においてストッパ機構を解除して、蓋体を下降方向に回動させて    、ストッパ片の支軸が規制部材の他端部に当接した状態を示す図。
【符号の説明】
【００３３】
１  開閉式ベット
２  収納本体
３  蓋体
４  ヒンジ装置
５  リンク機構
５１  第１の固定リンク
５２  短リンク
５３  長リンク
５４  第２の固定リンク
６  ストッパ機構
６１、６１１  ストッパガイド
６１ａ、６１１ａ  長穴
６１ｂ、６１１ｂ  プレート部材
６１ｃ、６１１ｃ  ピン
６２  ストッパリンク
６３  ストッパ片
７  ガススプリング
８７  支軸
９  規制部材
１０  バネ
【図１】
0004769046.tif 000002
【図２】
0004769046.tif 000003
【図３】
0004769046.tif 000004
【図４】
0004769046.tif 000005
【図５】
0004769046.tif 000006
【図６】
0004769046.tif 000007
【図７】
0004769046.tif 000008
【図８】
0004769046.tif 000009
【図９】
0004769046.tif 000010
【図１０】
0004769046.tif 000011
【図１１】
0004769046.tif 000012
【図１２】
0004769046.tif 000013
【図１３】
0004769046.tif 000014
【図１４】
0004769046.tif 000015
【図１５】
0004769046.tif 000016
【図１６】
0004769046.tif 000017
【図１７】
0004769046.tif 000018
【図１８】
0004769046.tif 000019
【図１９】
0004769046.tif 000020
【図２０】
0004769046.tif 000021